(57)【要約】【課題】当接部と基板部とを強固に固定することができ、長期にわたって衛生状態を良好に維持することができるとともに、外観にも優れた筋力計用アタッチメント及び筋力計を提供すること。【解決手段】生体からの圧力を検出し、前記生体の筋力を測定する筋力計の本体部に取り付けられる筋力計用アタッチメント２であって、前記生体に当接される当接部２５と、前記本体部に取り付けるための取付部２６と、前記取付部２６に設けられ、前記生体からの圧力を受ける際の補助となる補助部２７とを備え、前記補助部２７が、前記当接部２５の内部に設けられていることを特徴とする。【選択図】図２
2009273696.tif 000002
【特許請求の範囲】
【請求項１】
生体からの圧力を検出し、前記生体の筋力を測定する筋力計の本体部に取り付けられる筋力計用アタッチメントであって、
前記生体に当接される当接部と、
前記本体部に取り付けるための取付部と、
前記取付部に設けられ、前記生体からの圧力を受ける際の補助となる補助部とを備え、
前記補助部が、前記当接部の内部に設けられていることを特徴とする筋力計用アタッチメント。
【請求項２】
前記補助部に貫通孔が形成されており、
前記当接部の内部材が前記貫通孔を通されていることを特徴とする請求項１に記載の筋力計用アタッチメント。
【請求項３】
前記取付部が、棒状に延ばされて形成され、
前記補助部が、前記取付部の先端に設けられて、前記取付部の長手方向に交差する方向に板状に延ばされて形成されており、
前記貫通孔が、前記補助部の厚さ方向に向けられていることを特徴とする請求項２に記載の筋力計用アタッチメント。
【請求項４】
請求項１から請求項３のいずれか一項に記載の筋力計用アタッチメントと、前記本体部とを備えることを特徴とする筋力計。
【発明の詳細な説明】
【技術分野】
【０００１】
本発明は、生体の筋力を測定する筋力計の本体部に取り付けられる筋力計用アタッチメント及び筋力計に関する。
【背景技術】
【０００２】
従来、生体からの圧力を検出することにより、生体の筋力を測定する種々の筋力計が利用されている（例えば、特許文献１参照。）。
これら筋力計の中には、生体に当接させるアタッチメントと、このアタッチメントが取り付けられて生体からの圧力を検出する検出部とを備えたものが知られている。そして、アタッチメントには、取付軸部が設けられており、本体部には、取付軸部が挿入される挿入孔と、挿入孔の先端に内蔵された圧力センサとが設けられている。
【０００３】
ここで、アタッチメントとしては、取付軸部の先端に設けられ、この取付軸部の軸線方向に直交する方向に延在する基板部と、この基板部の上に接着により設けられた樹脂製の当接部とを備えるものが知られている。
このような構成のもと、挿入孔に取付軸部を挿入した状態で、当接部を皮膚に当接させる。そして、筋力により、生体がアタッチメントを押圧する。すると、生体からの圧力が、当接部、基板部及び取付軸部を介して本体部に伝わっていく。すなわち、取付軸部の先端が圧力センサを押圧することにより、その圧力センサが圧力を検知し、生体の筋力が測定される。
【特許文献１】特開２００４−１８０９８２号公報
【発明の開示】
【発明が解決しようとする課題】
【０００４】
しかしながら、上記のような筋力計では、基板部から当接部が外れ易くなるだけでなく、基板部がさび易く衛生状態が悪化し易くなるという問題がある。さらに、取付部と基板部との接続部（溶接など）が外方に露出するため、外観上も好ましくないという問題がある。
【０００５】
本発明は、このような事情に鑑みてなされたものであって、当接部と基板部とを強固に固定することができ、長期にわたって衛生状態を良好に維持することができるとともに、外観にも優れた筋力計用アタッチメント及び筋力計を提供することを目的とする。
【課題を解決するための手段】
【０００６】
上記課題を解決するために、本発明は以下の手段を提供する。
本発明に係る筋力計用アタッチメントは、生体からの圧力を検出し、前記生体の筋力を測定する筋力計の本体部に取り付けられる筋力計用アタッチメントであって、前記生体に当接される当接部と、前記本体部に取り付けるための取付部と、前記取付部に設けられ、前記生体からの圧力を受ける際の補助となる補助部とを備え、前記補助部が、前記当接部の内部に設けられていることを特徴とする。
【０００７】
この発明によれば、補助部が当接部の内部に設けられていることから、補助部と当接部とを強固に固定することができるだけでなく、さびの発生を防止することにより衛生状態を長期にわたって良好に保持することができる。
また、補助部と取付部とが溶接された接続部分が当接部の内方に隠されることから、外観的にも美観を向上させることができる。
【０００８】
また、本発明に係る筋力計用アタッチメントは、前記補助部に貫通孔が形成されており、前記当接部の内部材が前記貫通孔を通されていることを特徴とする。
【０００９】
この発明によれば、補助部を介して当接部が剥がれることを防止することができるだけでなく、生体からの圧力を受けているときなどに補助部が動くことを防止することができる。
【００１０】
また、本発明に係る筋力計用アタッチメントは、前記取付部が、棒状に延ばされて形成され、前記補助部が、前記取付部の先端に設けられて、前記取付部の長手方向に交差する方向に板状に延ばされて形成されており、前記貫通孔が、前記補助部の厚さ方向に向けられていることを特徴とする。
【００１１】
この発明によれば、当接部と補助部とを強固に固定することができるだけでなく、補助部の移動を確実に防止することができる。
【００１２】
また、本発明に係る筋力計は、請求項１から請求項３のいずれか一項に記載の筋力計用アタッチメントと、前記本体部とを備えることを特徴とする。
【００１３】
この発明によれば、請求項１から請求項３のいずれか一項に記載の筋力計用アタッチメントと同様の効果を奏することができる。
【発明の効果】
【００１４】
本発明によれば、当接部と基板部とを強固に固定することができ、長期にわたって衛生状態を良好に維持することができるとともに、外観的にも美観を向上させることができる。
【発明を実施するための最良の形態】
【００１５】
（実施形態１）
以下、本発明の第１の実施形態における筋力計について、図面を参照して説明する。
図１は、本発明の第１の実施形態としての筋力計を示したものである。
筋力計１は、生体に当接されるアタッチメント（筋力計用アタッチメント）２と、生体からの圧力から筋力を測定する本体部３とを備えている。
本体部３は、アタッチメント２が取り付けられる支持本体部３ａと、この支持本体部３ａに接続されて、生体の筋力を演算する演算本体部３ｂとを備えている。
支持本体部３ａは、側面視して略台形状に形成されている。そして、支持本体部３ａのうち、台形状の上底部は平坦面１２とされており、下底部は、その周縁から中心点に向かって漸次肉厚に形成されたドーム部１３とされている。ドーム部１３には、使用者が把持し易くなるようにベルトを通すことができるスリット１４が形成された一対の脚部１５が設けられている。
【００１６】
また、平坦面１２の中心点には、支持本体部３ａの高さ方向に延びる挿入孔１１が形成されている。この挿入孔１１の横断面は、六角形状になっている。さらに、挿入孔１１の一端は、外方に開口された開口端とされている。挿入孔１１の他端（先端）の内部には、圧力を検知する圧力センサ１０が設けられている。この圧力センサ１０は、支持本体部３ａの周面に設けられた接続部２０に接続されている。
【００１７】
また、演算本体部３ｂは、ケーブル５を介して支持本体部３ａに接続されている。ケーブル５の一端は、接続部２０に着脱可能に取り付けられるようになっており、他端は演算本体部３ｂに接続されている。さらに、演算本体部３ｂは、直方体形状をなしており、天面には、各種情報を表示する表示部６が設けられている。また、表示部６の近傍には、各種操作を指示するための操作ボタン７が設けられている。さらに、演算本体部３ｂは、圧力センサ１０の検知結果から生体の筋力を演算する演算部２１を備えている。
このような構成のもと、圧力センサ１０がアタッチメント２から圧力を受けると、圧力センサ１０はその圧力を検知し、当該検知結果を、接続部２０及びケーブル５を介して演算本体部３ｂの演算部２１に出力する。そして、演算部２１は、その検知結果から生体の筋力を演算し、演算結果を表示部６に表示する。
【００１８】
アタッチメント２は、図２に示すように、側面視して台形状の当接部２５を備えている。当接部２５は、樹脂からなるものであり、台形状の上底部及び下底部は、平坦面とされ、平面視して円形状に形成されている。この当接部２５の内部には、上底部及び下底部の延在方向に沿って延びる金属製の円板部２７が設けられている。
円板部２７の裏面には、この円板部２７の延在方向に直交する方向に延びる金属製の取付軸部２６が設けられている。これら円板部２７と取付軸部２６とは溶接によって連結されている。取付軸部２６には、６角形状の位置決め部２８が設けられている。すなわち、取付軸部２６を、横断面が六角形状とされた挿入孔１１に挿入するときに、位置決め部２８と挿入孔１１とが嵌合することにより、アタッチメント２と支持本体部３ａとの相対回転位置が位置決めされるとともに、相対回転が規制されるようになっている。
【００１９】
さらに、本実施形態における円板部２７は、当接部２５の内部に設けられている。そして、円板部２７の裏面において溶接された接続部まで、当接部２５の内部に配されている。
円板部２７には、図３に示すように、厚さ方向に貫通する円形の貫通孔２７ａが形成されている。貫通孔２７ａは、同形状、同サイズに形成されており、周方向に均等間隔をあけて４つ形成されている。
この円板部２７は、樹脂成型の際の型にあらかじめ設置されて、貫通孔２７ａに樹脂が流し込まれることにより、図４に示すように、当接部２５の内部材が貫通孔２７ａを貫通した状態となる。すなわち、中実状の当接部２５は、円板部２７の周囲や貫通孔２７ａを介してすべて一体として形成されている。
【００２０】
次に、このように構成された本実施形態における筋力計の使用方法について説明する。
まず、挿入孔１１に取付軸部２６を挿入して、アタッチメント２を支持本体部３ａに取り付ける。そして、支持本体部３ａと演算本体部３ｂとをケーブル５を介して接続する。
この状態で、例えば患者の手や足に当接部２５を当接させる。患者が手や足により当接部２５を押すと、その圧力が当接部２５に伝わり、円板部２７がその圧力を受ける補助として機能する。そして、当接部２５及び円板部２７に伝わった圧力は、取付軸部２６を介して、その先端から圧力センサ１０に伝わる。圧力センサ１０は、このときの圧力を検出し、ケーブル５を介してその検出結果を演算本体部３ｂの演算部２１に出力する。演算部２１は、使用者からの操作ボタン７による操作のもと、演算結果に基づいて、筋力を演算し、その結果を表示部６に表示する。
【００２１】
ここで、本実施形態においては、円板部２７が当接部２５の内部に設けられているため、当接部２５と円板部２７とが強固に固定される。また、円板部２７が空気に触れ難くなることから、さびなどが抑制されるだけでなく、取付軸部２６との溶接された接続部分が当接部２５の内方に隠される。さらに、円板部２７の周囲や貫通孔２７ａを介して当接部２５が一体に形成されていることから、当接部２５の上下で分離し難くすることができ、さらに、円板部２７が取付軸部２６の軸線を回転中心として回転することが規制される。
【００２２】
以上より、本実施形態における筋力計によれば、円板部２７が当接部２５の内部に設けられていることから、円板部２７と当接部２５とを強固に固定することができるだけでなく、さびの発生を防止することにより衛生状態を長期にわたって良好に保持することができる。
また、取付軸部２６との溶接された接続部分が当接部２５の内方に隠されることから、外観的にも美観を向上させることができる。
また、円板部２７の周囲や貫通孔２７ａを介して当接部２５が一体に形成されていることから、当接部２５の上下での分離を防止することができ、さらに、測定中に生体からの圧力により円板部２７が回転してしまうことを防止することができる。
【００２３】
（実施形態２）
次に、本発明の第２の実施形態について説明する。
図５及び図６は、本発明の第２の実施形態を示したものである。
図５及び６において、図１から図４に記載の構成要素と同一部分については同一符号を付し、その説明を省略する。
この実施形態と上記第１の実施形態とは基本的構成は同一であり、ここでは主として異なる点について説明する。
【００２４】
本実施形態におけるアタッチメント２Ａは、当接部２５Ａが平面視して略楕円形状に形成されている。そして、当接部２５Ａの上面は、長手方向の両端から中心に向かって漸次肉薄になるように内方側に緩やかに湾曲している。これにより、生体の湾曲した部位に当接部２５Ａを当接させても、その上面の全面にわたって安定して生体に密着させることができる。
【００２５】
また、円板部２７に代えて、平面視して楕円形状の楕円板部２７Ａが設けられている。楕円板部２７Ａの長手方向の両端部には、径の大きい円形の貫通孔２７ｂが一対形成されている。さらに、楕円板部２７Ａの短手方向の両端部には、貫通孔２７ｂよりも小径で円形の貫通孔２７ｃが一対形成されている。すなわち、貫通孔２７ｂ，２７ｃは、楕円板部２７Ａの周方向に均等間隔をあけて交互に配置されており、貫通孔２７ｂ，２７ｃのそれぞれは、取付軸部２６を挟んで互いに対向配置されている。
【００２６】
以上より、本実施形態における筋力計によれば、上記第１の実施形態と同様の効果を奏するだけでなく、楕円板部２７Ａの剛性を確保しつつ、当接部２５Ａと楕円板部２７Ａとを強固に固定することができる。すなわち、楕円板部２７Ａの長手方向の両端部の大きなスペースには大径の貫通孔２７ｂが形成され、短手方向の両端部の小さなスペースには小径の貫通孔２７ｃが形成されていることから、楕円板部２７Ａの剛性と、当接部２５Ａ及び楕円板部２７Ａの互いの固定力とをバランスよく増強させることができる。
【００２７】
（実施形態３）
次に、本発明の第３の実施形態について説明する。
図７は、本発明の第３の実施形態を示したものである。
図７において、図１から図６に記載の構成要素と同一部分については同一符号を付し、その説明を省略する。
この実施形態と上記第１の実施形態とは基本的構成は同一であり、ここでは主として異なる点について説明する。
【００２８】
本実施形態におけるアタッチメント２Ｂは、上記第１の実施形態における当接部２５よりも小径の当接部２５Ｂを備えている。当接部２５Ｂの台形状における上底部及び下底部は、平面視して円形状に形成されている。また、当接部２５Ｂの上底部は、上記第２の実施形態における当接部２５Ａのように、径方向の両端から中心にわたって漸次肉薄になるように内方側に緩やかに湾曲している。
また、当接部２５Ｂの内部には、小径の円板部２７Ｂが設けられている。
以上より、本実施形態における筋力計によれば、上記第１の実施形態と同様の効果を奏することができる。
【００２９】
なお、上記第１から第３の実施形態において、それぞれ当接部２５，２５Ａ，２５Ｂを示したが、これらに限ることはなく、その形状や材質などは適宜変更可能である。
また、円板部２７，２７Ｂ及び楕円板部２７Ａなどに貫通孔２７ａ，２７ｂ，２７ｃを設けるとしたが、これら貫通孔２７ａ，２７ｂ，２７ｃを設けなくてもよい。
なお、本発明の技術範囲は上記の実施形態に限定されるものではなく、本発明の趣旨を逸脱しない範囲において、種々の変更を加えることが可能である。
【図面の簡単な説明】
【００３０】
【図１】本発明に係る筋力計の第１の実施形態を示す全体構成図である。
【図２】図１の当接部を拡大して示す側面図である。
【図３】図２の円板部を示す平面図である。
【図４】図２の当接部の断面図である。
【図５】本発明に係る筋力計の第２の実施形態を示す図であって、当接部を示す斜視図である。
【図６】図５の楕円板部を示す平面図である。
【図７】本発明に係る筋力計の第３の実施形態を示す図であって、当接部を示す側面図である。
【符号の説明】
【００３１】
１    筋力計
２，２Ａ，２Ｂ  アタッチメント（筋力計用アタッチメント）
３    本体部
２５，２５Ａ，２５Ｂ  当接部
２６  取付軸部（取付部）
２７，２７Ｂ  円板部（補助部）
２７Ａ  楕円板部（補助部）
２７ａ，２７ｂ，２７ｃ  貫通孔
【図１】
2009273696.tif 000003
【図２】
2009273696.tif 000004
【図３】
2009273696.tif 000005
【図４】
2009273696.tif 000006
【図５】
2009273696.tif 000007
【図６】
2009273696.tif 000008
【図７】
2009273696.tif 000009